(57)【要約】本発明の引き戸ユニット１は、引き戸２と、引き戸２の下端部２Ｂをガイドする下側ガイド体３０を有した下側ガイド部３とを備え、少なくとも引き戸２の下端部２Ｂには、下側ガイド部３上を転動する戸車７０と複数の永久磁石部材８が設けられる一方で、下側ガイド部３には、該永久磁石部材８に対し引き戸２の高さ方向に対向する永久磁石部材４が設けられ、それら双方の磁石部材８，４が、互いの着磁方向を上記高さ方向に有し、かつそれら双方の対向面４ａ，８ａが全て同種の磁極を有し、所定軌道上を移動する引き戸２が下側ガイド部３に加える荷重が、磁石部材８，４の反発力により軽減されることを特徴とする。これにより、引き戸の戸車の故障・破損を軽減するとともに、より小さな力で引き戸を開閉することが可能となる。
2011016114.tif 000002
【特許請求の範囲】
【請求項１】
上端側及び下端側がガイドされる形で予め定められた軌道上を移動可能な引き戸と、該引き戸の下端側をガイドする下側ガイド体を有した下側ガイド部とを備え、
少なくとも前記引き戸の下端部には、複数の下端側戸車と複数の永久磁石部材が設けられる一方で、前記下側ガイド部には、該永久磁石部材に対し前記引き戸の高さ方向に対向する、該永久磁石部材とは別の永久磁石部材が設けられ、それら対向する永久磁石部材は、前記引き戸が前記軌道上を移動する際には常に前記高さ方向に投影的重なりを有して対向するとともに、それら双方の対向面の磁極により互いが反発し、かつそれら対向面のそれぞれが少なくとも引き戸の移動方向において全て同種の磁極を有しており、
前記軌道上の任意の位置において、前記引き戸から前記下端側戸車を介して前記下側ガイド部に加わる荷重が、前記引き戸の下端側と前記下側ガイド部との双方の永久磁石部材の反発力により軽減されていることを特徴とする引き戸ユニット。
【請求項２】
前記引き戸が前記軌道上を移動可能となるよう該引き戸の上端側をガイドする上側ガイド体を有した上側ガイド部を備え、前記引き戸の上端部には磁性部材が設けられる一方で、前記上側ガイド部には、該磁性部材に対し前記引き戸の高さ方向に対向する、該磁性部材とは別の磁性部材が設けられ、それら対向する磁性部材は、前記引き戸が前記軌道上を移動する際には常に前記高さ方向に投影的重なりを有して対向するとともに、それら双方の対向面の磁極により互いが吸引され、かつそれら対向面のそれぞれが少なくとも引き戸の移動方向において全て同種の磁極を有しており、さらに、それら磁性部材のうち一方が永久磁石部材であり、他方がこれに吸引される永久磁石部材又は軟磁性部材である請求の範囲第１項記載の引き戸ユニット。
【請求項３】
前記引き戸の上端部には複数の上端側戸車が設けられる請求の範囲第２項記載の引き戸ユニット。
【請求項４】
前記引き戸の上端部の磁性部材は、該引き戸の前後方向において対称をなすよう分散配置されている請求の範囲第２項又は請求の範囲第３項に記載の引き戸ユニット。
【請求項５】
請求の範囲第３項に記載の要件を備え、
前記引き戸の上端部の磁性部材は、該引き戸の前後方向において前記上端側戸車のうち最も前に位置する上端側戸車よりも後方の位置で、かつ最も後ろに位置する上端側戸車よりも前方の位置に設けられている請求の範囲第３項又は請求の範囲第４項に記載の引き戸ユニット。
【請求項６】
前記上側ガイド部の磁性部材は、前記上側ガイド体の長さ方向に連続するレール状に設けられている請求の範囲第２項ないし請求の範囲第５項のいずれか１項に記載の引き戸ユニット。
【請求項７】
請求の範囲第３項の要件を備え、
前記上側ガイド部の磁性部材は、前記上側ガイド体の幅方向の両端側にそれぞれ設けられ、前記上端側戸車は、それら磁性部材の間に一部が挟まれる形で前記引き戸の移動方向にガイドされる請求の範囲第６項記載の引き戸ユニット。
【請求項８】
請求の範囲第３項に記載の要件を備え、
前記上側ガイド部の磁性部材は、前記上側ガイド体上に設けられ、前記上端側戸車は、前記引き戸の高さ方向において該磁性部材と対向する請求の範囲第６項記載の引き戸ユニット。
【請求項９】
請求の範囲第３項に記載の要件を備え、
前記上側ガイド体は、該上側ガイド体の幅方向において下端面の高さが異なる段差を有し、当該段差の境界を形成する段差立面に対し第一側の下端面上に前記磁性部材が設けられ、第二側の下端面上に前記上端側戸車が前記引き戸の高さ方向において対向する請求の範囲第６項記載の引き戸ユニット。
【請求項１０】
請求の範囲第３項に記載の要件を備え、
前記上側ガイド体は上側ガイド溝として形成され、前記上端側戸車は、その一部又は全体が上側ガイド溝内に嵌り込んで前記引き戸の移動方向にガイドされる請求の範囲第２項ないし請求の範囲第９項のいずれか１項に記載の引き戸ユニット。
【請求項１１】
請求の範囲第３項に記載の要件を備え、
前記上端側戸車は、円筒状の戸車本体と、その戸車本体の回転軸線方向における外周面中央から外向きに突出した円盤状突出部とを有し、前記引き戸が開閉移動する際、前記戸車本体は、前記上側ガイド部上を転動する一方で、前記円盤状突出部は、前記上側ガイド部に設けられた前記上側ガイド体をなす上側ガイド溝内に突出した状態で配置され、該上側ガイド溝にガイドされる形で移動するものである請求の範囲第２項ないし請求の範囲第９項のいずれか１項に記載の引き戸ユニット。
【請求項１２】
前記引き戸の上端部の磁性部材は永久磁石部材であり、前記上側ガイド部の磁性部材は、軟磁性部材である請求の範囲第２項ないし請求の範囲第１１項のいずれか１項に記載の引き戸ユニット。
【請求項１３】
請求の範囲第３項記載の要件を備え、
前記上端側戸車は、前記上側ガイド部に対し常に接触し、該上側ガイド部上を前記引き戸の移動に伴い転動することを特徴とする請求の範囲第１項ないし請求の範囲第１２項のいずれか１項に記載の引き戸ユニット。
【請求項１４】
前記引き戸は、少なくとも前記下側ガイド部に対し浮上した状態を保持していることを特徴とする請求の範囲第１項ないし請求の範囲第１２項のいずれか１項に記載の引き戸ユニット。
【請求項１５】
上下両端側がガイドされる形で予め定められた軌道上を移動可能な引き戸と、該引き戸の上端側をガイドする上側ガイド体を有した上側ガイド部と、該引き戸の下端側をガイドする下側ガイド体を有した下側ガイド部とを備え、
前記引き戸の下端部には、前記下側ガイド体に接して該下側ガイド体上を転動する下端側戸車と複数の永久磁石部材が設けられ、前記下側ガイド部には、該永久磁石部材に対し前記引き戸の高さ方向に対向する、該永久磁石部材とは別の永久磁石部材が設けられ、それら対向する永久磁石部材は、前記引き戸が前記軌道上を移動する際には常に前記高さ方向に投影的重なりを有して対向するとともに、それら双方の対向面の磁極により互いが反発し、かつそれら対向面のそれぞれが少なくとも引き戸の移動方向において全て同種の磁極を有しており、
前記引き戸の上端部には、前記上側ガイド体によりガイドされる形で該上側ガイド体上を摺動可能な摺動ガイド受け部と複数の磁性部材が設けられるとともに、前記上側ガイド部には、該磁性部材に対し前記引き戸の高さ方向に対向する、該磁性部材とは別の磁性部材が設けられ、それら対向する磁性部材は、前記引き戸が前記軌道上を移動する際には常に前記高さ方向に投影的重なりを有して対向するとともに、それら双方の対向面の磁極により互いが吸引され、かつそれら対向面のそれぞれが少なくとも引き戸の移動方向において全て同種の磁極を有しており、
前記引き戸の下端側と上端側における反発と吸引により、前記軌道上の任意の位置において前記引き戸から前記下端側戸車を介して前記下側ガイド部に加わる荷重が軽減されていることを特徴とする引き戸ユニット。
【請求項１６】
前記下側ガイド部の永久磁石部材は、前記下側ガイド体の長さ方向に連続するレール状に設けられている請求の範囲第１項ないし請求の範囲第１５項のいずれか１項に記載の引き戸ユニット。
【請求項１７】
前記下側ガイド部の永久磁石部材は、前記下側ガイド体の幅方向の両端側にそれぞれ設けられ、前記下端側戸車は、それら磁性部材の間に一部挟まれる形で前記引き戸の移動方向にガイドされる請求の範囲第１６項記載の引き戸ユニット。
【請求項１８】
前記下側ガイド部の永久磁石部材は、前記下側ガイド体上に設けられ、前記下端側戸車は、前記引き戸の高さ方向において該永久磁石部材と対向する請求の範囲第１６項記載の引き戸ユニット。
【請求項１９】
前記下側ガイド部は、前記下側ガイド体の幅方向において上端面の高さが異なる段差を有し、当該段差の境界を形成する段差立面に対し第一側の上端面上に前記永久磁石部材が設けられ、第二側の上端面上を前記下端側戸車が該引き戸の高さ方向において対向する請求の範囲第１６項記載の引き戸ユニット。
【請求項２０】
前記下側ガイド体は下側ガイド溝として形成され、前記下端側戸車は、その一部又は全体が下側ガイド溝内に嵌り込んで前記引き戸の移動方向にガイドされる請求の範囲第１６項ないし請求の範囲第１９項のいずれか１項に記載の引き戸ユニット。
【請求項２１】
前記下端側戸車は、円筒状の戸車本体と、その戸車本体の回転軸線方向における外周面中央から外向きに突出した円盤状突出部とを有し、前記引き戸が開閉移動する際、前記戸車本体は、前記下側ガイド部上を転動する一方で、前記円盤状突出部は、前記下側ガイド部に設けられた前記下側ガイド体をなす下側ガイド溝内に突出した状態で配置され、該下側ガイド溝にガイドされる形で移動するものである請求の範囲第１項ないし請求の範囲第１９項のいずれか１項に記載の引き戸ユニット。
【請求項２２】
前記引き戸の下端部の永久磁石部材は、該引き戸の前後方向において前記下端側戸車のうち最も前に位置する戸車よりも前方の位置と、最も後ろに位置する戸車よりも後方の位置との双方に少なくとも設けられている請求の範囲第１項ないし請求の範囲第２１項のいずれか１項に記載の引き戸ユニット。
【請求項２３】
上下両端側がガイドされる形で予め定められた軌道上を移動可能な引き戸と、該引き戸の上端側をガイドする上側ガイド体を有した上側ガイド部と、該引き戸の下端側をガイドする下側ガイド体を有した下側ガイド部とを備え、
前記引き戸の下端部には、前記下側ガイド体によりガイドされる形で該した側ガイド体上を摺動可能な摺動ガイド受け部と複数の永久磁石部材が設けられるとともに、前記下側ガイド部には、該永久磁石部材に対し前記引き戸の高さ方向に対向する、該永久磁石部材とは別の永久磁石部材が設けられ、それら対向する永久磁石部材は、前記引き戸が前記軌道上を移動する際には常に前記高さ方向に投影的重なりを有して対向するとともに、それら双方の対向面の磁極により互いが反発し、かつそれら対向面のそれぞれが少なくとも引き戸の移動方向において全て同種の磁極を有しており、
前記引き戸の上端部には、前記上側ガイド部に対向して前記引き戸の移動方向に回転可能とされた上端側戸車と複数の磁性部材が設けられ、前記上側ガイド部には、該磁性部材に対し前記引き戸の高さ方向に対向する、該磁性部材とは別の磁性部材が設けられ、それら対向する磁性部材は、前記引き戸が前記軌道上を移動する際には常に前記高さ方向に投影的重なりを有して対向するとともに、それら双方の対向面の磁極により互いが吸引され、かつそれら対向面のそれぞれが少なくとも引き戸の移動方向において全て同種の磁極を有しており、
前記引き戸の下端側と上端側における反発と吸引により、前記軌道上の任意の位置において前記引き戸により前記下側ガイド部に加わる荷重が、該引き戸が浮上状態となることで軽減されることを特徴とする引き戸ユニット。
【請求項２４】
前記下側ガイド部の永久磁石部材は、前記下側ガイド体の長さ方向に連続するレール状に設けられている請求の範囲第１項ないし請求の範囲第２３項のいずれか１項に記載の引き戸ユニット。
【請求項２５】
前記引き戸の下端部の永久磁石部材は、該引き戸の前後方向において対称をなすよう分散配置されている請求の範囲第１項ないし請求の範囲第２４項のいずれか１項に記載の引き戸ユニット。
【発明の詳細な説明】
【技術分野】
【０００１】
本発明は、引き戸と、該引き戸を所定軌道上において開閉移動させるためのガイド体とを有した引き戸ユニットに関する。
【背景技術】
【０００２】
引き戸は、敷居のガイド溝やガイドレール上を摺動する、あるいは戸車によりそれらガイド溝やガイドレール上を転動することにより、所定軌道上を移動する（例えば特許文献１）。
【先行技術文献】
【特許文献】
【０００３】
【特許文献１】特許第２５４７９６２号公報
【発明の概要】
【発明が解決しようとする課題】
【０００４】
近年の建築様式の変化に伴い、建築物の開口部は大型化と、遮音・遮熱・採光・デザイン性といった機能向上に対応するため、引き戸の重量化・大型化は時代の趨勢となっている。その結果、引き戸下端に取り付けられる戸車の機能面における負担も大きくなり、これが故障・破損の原因となっている。また、引き戸は摺動や転動によって開閉移動されるため、自重が重いものほど摩擦が大きく開け難い。このため、力の弱い子供や高齢者らにとって開閉動作が困難となることもあり、より小さな力で開閉できる引き戸が望まれている。【０００５】
本発明は、上記課題に鑑みてなされたものであり、引き戸の戸車の故障・破損を軽減するとともに、より小さな力で引き戸を開閉することが可能な引き戸ユニットを提供することにある。
【課題を解決するための手段及び発明の効果】
【０００６】
上記課題を解決するために、本発明の引き戸ユニットは、引き戸と、引き戸の戸車が転動する構造物とを備え、これら双方に磁性部材（磁石部材や軟磁性部材等）を内蔵して対向させることにより、引き戸に浮力を与えた状態として開閉移動させるものである。この場合、引き戸下端であれば、対向する磁性部材が反発するよう双方の磁性部材を配置する。逆に、引き戸上端であれば、対向する磁性部材が吸引するように双方の磁性部材を配置する。また、引き戸の下端と上端との双方に、上記のような形で磁性部材を対向配置してもよい。さらには、これら対向する磁性部材の磁力により、引き戸を構造物に対し離反及び浮遊させるようにしてもよい。
【０００７】
具体的にいえば、本発明の引き戸ユニットは、上端側及び下端側がガイドされる形で予め定められた軌道上を移動可能な引き戸と、該引き戸の下端側をガイドする下側ガイド体を有した下側ガイド部とを備え、少なくとも前記引き戸の下端部には、複数の下端側戸車と複数の永久磁石部材が設けられる一方で、前記下側ガイド部には、該永久磁石部材に対し前記引き戸の高さ方向に対向する、該永久磁石部材とは別の永久磁石部材が設けられ、それら対向する永久磁石部材は、前記引き戸が前記軌道上を移動する際には常に前記高さ方向に投影的重なりを有して対向するとともに、それら双方の対向面の磁極により互いが反発し、かつそれら対向面のそれぞれが少なくとも引き戸の移動方向において全て同種の磁極を有しており、前記軌道上の任意の位置において、前記引き戸から前記下端側戸車を介して前記下側ガイド部に加わる荷重が、前記引き戸の下端側と前記下側ガイド部との双方の永久磁石部材の反発力により軽減されていることを特徴とする。
【０００８】
上記本発明の構成によれば、永久磁石の反発力によって、下端側戸車を介して敷居等の下側ガイド部に対し加わる引き戸の重さが軽減される。これにより、開閉移動時の摩擦が軽減され、引き戸を小さな力で開閉することが可能となる。また、下端側戸車に加わる引き戸の重さも小さくなるため、下端側戸車への荷重負担も少なく、下端側戸車の長寿命化も期待できる。特に、永久磁石の反発力によって引き戸が浮上した状態となるならば、引き戸を開閉する力は非常に小さくて済み、下端側戸車への負担はほとんど皆無となる。
【０００９】
また、本発明においては、引き戸が前記軌道上を移動可能となるよう該引き戸の上端側をガイドする上側ガイド体を有した上側ガイド部を備えて構成できる。そして、引き戸の上端部には磁性部材が設けられる一方で、前記上側ガイド部には、該磁性部材に対し前記引き戸の高さ方向に対向する、該磁性部材とは別の磁性部材を設けることができる。さらに、それら対向する磁性部材は、前記引き戸が前記軌道上を移動する際には常に前記高さ方向に投影的重なりを有して対向するとともに、それら双方の対向面の磁極により互いが吸引され、かつそれら対向面のそれぞれが少なくとも引き戸の移動方向において全て同種の磁極を有して構成できる。
【００１０】
上記構成によると、引き戸の下端側において永久磁石部材間の反発力により引き戸全体を浮き上がらせる力が作用するだけでなく、引き戸の上端側においても磁性部材間の吸引力によって同様に引き戸全体を浮き上がらせる補助力が作用するので、引き戸の荷重を軽減できる。
【００１１】
また、引き戸上端側においては、上側ガイド部の磁性部材と引き戸上端の磁性部材において、一方を永久磁石部材とすることができ、他方を永久磁石部材又は軟磁性材料からなる軟磁性部材とすることができる。双方に永久磁石部材を用いるならば吸引力を大きく得ることが可能となるし、一方を永久磁石部材として他方を軟磁性部材とするならば軟磁性部材を用いる分だけ安価に構成することが可能となる。
【００１２】
また、前記引き戸の上端部には、複数の上端側戸車を設けることができる。これにより、下端側だけでなく上端側にも戸車を配置することで、引き戸をより安定的に開閉することができる。
【００１３】
本発明において、引き戸の上端部の磁性部材は、該引き戸の移動方向（前後方向）において対称をなすよう分散配置できる。引き戸の移動方向に対称配置されることにより、上側ガイド部の磁性部材から受ける吸引力を引き戸全体が均等に受けることができるから、引き戸の安定的な開閉が可能となる。
【００１４】
本発明において、引き戸上端部にも戸車を有する構成である場合、引き戸の上端部の磁性部材は、該引き戸の移動方向（前後方向）において上端側戸車のうち最も前に位置する上端側戸車よりも後方の位置で、かつ最も後ろに位置する上端側戸車よりも前方の位置に設けることができる。引き戸の上端での吸引力を引き戸の前後方向の中央に近い位置にて発生させることにより、引き戸の開閉移動時に生じ易い前後方向の傾斜によるがたつきを抑制できる。
【００１５】
本発明において、上側ガイド部の磁性部材は、上側ガイド体の長さ方向に連続するレール状に設けることができる。これにより、引き戸の上端に設けられた磁性部材は、上側ガイド体のどの位置においても途切れることなく安定的に吸引力を受けることができる。
【００１６】
本発明において、引き戸上端部にも戸車を有する構成である場合、上側ガイド部の磁性部材は、上側ガイド体の幅方向の両端側にそれぞれ設けられ、上端側戸車は、それら磁性部材の間に一部が挟まれる形で前記引き戸の移動方向にガイドされるように構成できる。この構成によると、上端側戸車は磁性部材によりガイドされ、引き戸を安定的に開閉することができる。上端側戸車が、それら磁性部材の並び方向における中間位置を下側ガイド体の長さ方向にガイドされつつ転動するようにしてもよい。
【００１７】
本発明において、引き戸上端部にも戸車を有する構成である場合、上側ガイド部の磁性部材は上側ガイド体上に設けられ、上端側戸車は、前記引き戸の高さ方向において該磁性部材と対向するように構成できる。この構成によると、上側ガイド部の磁性部材は単純に上側ガイド体上に設置するだけでよいので、設置が容易となる。上側ガイド体がガイド溝であれば、該磁性部材部材を溝にはめ込むだけでよい。また、上端側戸車が上側ガイド体によりその長さ方向にガイドされつつ該磁性部材上を転動するようにしてもよい。
【００１８】
本発明において、引き戸上端部にも戸車を有する構成である場合、上側ガイド体は、該上側ガイド体の幅方向において下端面の高さが異なる段差を有して構成でき、当該段差の境界を形成する段差立面に対し第一側の下端面上に磁性部材を設け、第二側の下端面上に前記上端側戸車が前記引き戸の高さ方向において対向するように構成できる。この構成によると、磁性部材と戸車の配置位置を段差により隔てることができる。なお、上記第二側の下端面上を上端側戸車が該上側ガイド体の長さ方向に転動するようにしてもよい。
【００１９】
本発明において、引き戸上端部にも戸車を有する構成である場合、上側ガイド体は上側ガイド溝として形成することができる。この場合、上端側戸車は、その一部又は全体が上側ガイド溝内に嵌り込んで前記引き戸の移動方向にガイドされるよう構成できる。この構成によると、上端側戸車がガイドされる形で、引き戸の厚み方向のずれを抑制できる。
【００２０】
本発明において、引き戸の上端部に取り付けられる上端側戸車は、円筒状の戸車本体と、その戸車本体の回転軸線方向における外周面中央から外向きに突出した円盤状突出部とを有し、引き戸が開閉移動する際、戸車本体は、上側ガイド部上を転動する一方で、円盤状突出部は、上側ガイド部に設けられた上側ガイド体をなす上側ガイド溝内に突出した状態で配置され、該上側ガイド溝にガイドされる形で移動するように構成できる。上端側戸車を回転支持する軸周りが太くなるため、軸のたわみが抑制され、上端側戸車の回転をスムーズに保つことができる。また、引き戸の移動は、円盤状突出部がガイドされる形で行われるから、引き戸を所定軌道に沿って確実に移動させることができる。
【００２１】
本発明において、引き戸の上端部の磁性部材を永久磁石部材とし、上側ガイド部の磁性部材を軟磁性部材とすることができる。吸引力を生じさせる磁性部材の対のうち、一方を鉄等の軟磁性材料からなる軟磁性部材とすることで、安価に構成可能となる。
【００２２】
本発明において、引き戸は、少なくとも下側ガイド部に対し浮上した状態を保持することができる。これにより、引き戸の荷重をほとんど感じることなく開閉が可能となるし、最も荷重が加わる引き戸下側の下端側戸車にも過重負荷がかからない。一方で、引き戸上側に上端側戸車を設ける場合は、上側ガイド部上に対し常に接触し、前記引き戸の移動に伴い転動するようにすることもできる。この場合、引き戸上側の戸車には引き戸下側の戸車ほどの荷重負担がかかることはないし、上側ガイド部上を戸車が転動することにより、引き戸の開閉動作が安定する。
【００２３】
本発明において、引き戸の下端部の永久磁石部材は、該引き戸の移動方向（前後方向）において対称をなすよう複数のものを分散配置することができる。引き戸の下端部の永久磁石部材が、引き戸の移動方向に対称配置されることにより、下側ガイド部の永久磁石部材から受ける反発力を引き戸全体が均等に受けることができるから、引き戸の安定的な開閉が可能となる。
【００２４】
本発明において、引き戸の下端部の永久磁石部材は、該引き戸の移動方向（前後方向）において下端側戸車のうち最も前に位置する戸車よりも前方の位置と、最も後ろに位置する戸車よりも後方の位置との双方に少なくとも設けることができる。これにより、引き戸の開閉移動時に生じ易い前後方向の傾斜によるがたつきを、これら前後方向端部の永久磁石の反発力により抑制できる。
【００２５】
本発明において、下側ガイド部の永久磁石部材は、下側ガイド体の長さ方向に連続するレール状に設けることができる。これにより、引き戸の下端に設けられた永久磁石部材は、下側ガイド体のどの位置においても途切れることなく安定的に反発力を得ることができる。
【００２６】
本発明において、下側ガイド部の永久磁石部材は、下側ガイド体の幅方向の両端側にそれぞれ設けられ、下端側戸車は、それら磁性部材の間に一部挟まれる形で前記引き戸の移動方向にガイドされるように構成できる。この構成によると、下端側戸車が永久磁石部材によりガイドされた形で転動するので、引き戸を安定的に開閉することができる。
【００２７】
本発明において、下側ガイド部の永久磁石部材は、下側ガイド体上に設けられ、下端側戸車は、引き戸の高さ方向において該永久磁石部材と対向するこの構成によると、永久磁石部材は単純に下側ガイド体上に設けてあればよいので、設置が容易である。下側ガイド体がガイド溝であれば、永久磁石部材を溝にはめ込むだけでよい。下端側戸車が、該永久磁石部材上を該下側ガイド体の長さ方向に転動するようにしてもよい。
【００２８】
本発明において、下側ガイド部は、下側ガイド体の幅方向において上端面の高さが異なる段差を有して構成でき、当該段差の境界を形成する段差立面に対し第一側の上端面上に永久磁石部材を設け、第二側の上端面上を下端側戸車が該引き戸の高さ方向において対向するように構成できる。この構成によると、永久磁石部材と下端側戸車の配置位置を段差により隔てることができ、段差立面をガイド面として機能させることができる。第二側の上端面上を下端側戸車が該下側ガイド体の長さ方向に転動するようにしてもよい。
【００２９】
本発明において、下側ガイド体は下側ガイド溝として形成することができる。この場合、下端側戸車は、その一部又は全体が下側ガイド溝内に嵌り込んで前記引き戸の移動方向にガイドされるよう構成できる。この構成によると、下端側戸車がガイドされる形で、引き戸の厚み方向のずれを抑制できる。
【００３０】
本発明において、引き戸の下端部に取り付けられる下端側戸車は、円筒状の下端側戸車本体と、その下端側戸車本体の回転軸線方向における外周面中央から外向きに突出した円盤状突出部とを有し、引き戸が開閉移動する際、下端側戸車本体は、下側ガイド部上を転動する一方で、円盤状突出部は、下側ガイド部に設けられた下側ガイド体をなす下側ガイド溝内に突出した状態で配置され、該下側ガイド溝にガイドされる形で移動するように構成できる。下端側戸車を回転支持する軸周りが太くなるため、軸のたわみが抑制され、下端側戸車の回転をスムーズに保つことができる。また、引き戸の移動は、円盤状突出部がガイドされる形で行われるから、引き戸を所定軌道に沿って確実に移動させることができる。ガイド溝の幅を狭くすることも可能となる。
【図面の簡単な説明】
【００３１】
【図１】本発明の引き戸ユニットの第一実施形態の全体を示す断面図。
【図２】図１において引き戸の上端側及び下端側を拡大した拡大段面図。
【図３】図２のＡ−Ａ断面図。
【図４】図２のＢ−Ｂ断面図。
【図５Ａ】下側ガイド部に設けられる磁性部材の配置の第一例を説明する図。
【図５Ｂ】下側ガイド部に設けられる磁性部材の配置の第二例を説明する図。
【図６Ａ】上側ガイド部に設けられる磁性部材の配置の第一例を説明する図。
【図６Ｂ】本発明の上側ガイド部に設けられる磁性部材の配置の第二例を説明する図。
【図７】本発明の引き戸ユニットの第二実施形態を説明するための引き戸下端側の断面図。
【図８】本発明の引き戸ユニットの第三実施形態を説明するための引き戸下端側の断面図。
【図９】本発明の引き戸ユニットの第四実施形態を説明するための引き戸下端側の断面図。
【図１０】本発明の引き戸ユニットの第五実施形態を説明するための引き戸下端側の断面図。
【図１１】本発明の引き戸ユニットの第六実施形態を説明するための引き戸下端側の断面図。
【図１２】本発明の引き戸ユニットの第七実施形態を説明するための引き戸上端側の断面図。
【図１３】本発明の引き戸ユニットの第八実施形態を説明するための引き戸上端側の断面図。
【図１４】本発明の引き戸ユニットの第九実施形態を説明するための引き戸上端側の断面図。
【図１５】本発明の引き戸ユニットの第十実施形態を説明するための引き戸上端側の断面図。
【図１６】本発明の引き戸ユニットの第十一実施形態を説明するための引き戸上端側の断面図。
【図１７】下側ガイド部に設けられる磁性部材の第一の変形例を説明する図。
【図１８】下側ガイド部に設けられる磁性部材の第二の変形例を説明する図。
【図１９】引き戸に取り付けられる磁性部材の変形例を説明する図。
【図２０】図１７の磁性部材の引き戸への取り付けを説明する断面図。
【図２１】上側ガイド部に設けられる磁性部材の第一の変形例を説明する図。
【図２２】戸車の変形例を説明する断面図。
【図２３】図２２の戸車を用いた本発明の引き戸ユニットの一実施形態を説明するための引き戸下端側の断面図。
【図２４】図２２の戸車を用いた本発明の引き戸ユニットの一実施形態を説明するための引き戸上端側の断面図。
【図２５】Ｕ字状の永久磁石を用いた本発明の引き戸ユニットの一実施形態を説明するための引き戸上端又は下端側の断面図。
【図２６】上側ガイド部に設けられる磁性部材の第二の変形例を説明する図。
【図２７】引き戸の上側転動浮上状態を説明する図。
【図２８】引き戸の完全浮上状態を説明する図。
【図２９】引き戸の上端部に磁性部材の配置を変更した変形例を説明する図。
【図３０】磁性片を説明する断面図。
【図３１】回転軸線の異なる２種の戸車を併用する本発明の引き戸ユニットの実施形態を説明する図。
【図３２】引き戸の上下両端側にて磁性部材が対向し、かつ引き戸の下端のみに戸車を有する本発明の引き戸ユニットの一実施形態を説明するための断面図。
【図３３】引き戸の上下両端側にて磁性部材が対向し、かつ引き戸の上端のみに戸車を有する本発明の引き戸ユニットの一実施形態を説明するための断面図。
【発明を実施するための形態】
【００３２】
以下、本発明の引き戸ユニットの第一実施形態について図面を用いて説明する。
【００３３】
図１に示す引き戸ユニット１は、上端部２Ａと下端部２Ｂとがガイドされる形で予め定められた軌道上を移動可能な引き戸２と、引き戸２が上記軌道上を移動可能となるよう、該引き戸２の上端部２Ａをガイドする上側ガイド体５０を有した上側ガイド部（例えば鴨居）５と、下端部２Ｂをガイドする下側ガイド体３０を有した下側ガイド部（例えば敷居）３とを備えて構成される。上側ガイド部５と下側ガイド部３とは引き戸２の高さ方向（ここでは重力方向に一致している）において対向配置される。また、ガイド体５０，３０は、図３及び図４に示すように、双方とも矩形状の断面形状を有したガイド溝とされており、双方のガイド溝５０，３０の開口側が対向する。
【００３４】
引き戸２の下端部２Ｂには、下側ガイド部３に対し該引き戸２の高さ方向に対向して、該引き戸２の移動方向に回転可能な戸車（車輪）７０を有したユニット７と角型又は丸型の磁性部材８とが設けられる。他方、下側ガイド部３には、磁性部材８に対し引き戸２の高さ方向において対向し、なおかつ磁性部材８に対して該高さ方向に反発する、磁性部材８とは別の板状の磁性部材４が設けられる。これにより、上記軌道上の任意の位置において引き戸２により下側ガイド部３に加わる荷重が、引き戸２の下端側と下側ガイド部３との双方に設けられた磁性部材８，４の反発力により軽減される。このため、引き戸２をより小さな力で開閉できるし、引き戸２の下端の戸車７０への荷重負担も軽減される。なお、ここでの磁性部材８（８０），４（４０）は、一方が永久磁石部材であり、他方も永久磁石部材であり、互いが反発する形で重力方向に対向配置される。
【００３５】
引き戸２側と下側ガイド部３側の双方の磁性部材８，４は、互いの着磁方向を引き戸２の高さ方向に有し、なおかつそれら双方の磁性部材８，４の対向面（着磁面）８ａ，４ａが少なくとも引き戸２の移動方向において全て同種の磁極を有する。つまり、磁性部材８，４の双方の対向面８ａ，４ａの磁極を、引き戸２の移動方向に沿って見ていったときに、双方とも途中で磁極が切り替わることがない。ここでは双方の磁性部材８（８０），４（４０）の対向面（着磁面）８ａ，４ａの全面が全て同種の磁極（Ｎ極）を有している。引き戸２の移動に伴い対向する磁極がＮ極とＳ極との間で切り替わる構成の場合、その切り替わり点において引き戸の移動がスムーズに行かず、がたつく可能性があるが、対向面８ａ，４ａの磁極が少なくとも引き戸２の移動方向においてＮ極及びＳ極のいずれか一方に統一されていることで、そうしたがたつきを無くすことができる。
【００３６】
引き戸２の下端部２Ｂに設けられる磁性部材８は、図１に示すように、該引き戸２の前後方向（移動方向）において対称をなすよう、複数のものが分散配置されている。さらに、磁性部材８は、該引き戸２の前後方向において戸車ユニット７（戸車７０）のうち最も前に位置する戸車ユニット７（戸車７０）よりも前方の位置と、最も後ろに位置する戸車ユニット７（戸車７０）よりも後方の位置との双方に存在するように設けられている（符号８Ａ，８Ｂ）。これにより、引き戸２の開閉移動時に生じ易い前後方向の傾斜によるがたつきを、これら前後方向端部の磁性部材８Ａ，８Ｂの反発力により抑制できる。なお、磁性部材８は、必ずしも戸車ユニット７のうち最も前に位置する戸車ユニット７よりも前方の位置と、最も後ろに位置する戸車ユニット７よりも後方の位置に配置する必要は無く、引き戸２の下端部２Ｂにおいて、より前方側とより後方側とに配置されるほど、引き戸２の前後方向の傾斜は抑制される。なお、ここでは、引き戸２の下端部２Ｂの前後方向における中央位置にも磁性部材８が配置されている。さらに、ここでの磁性部材８は、各戸車ユニット７の前後双方に近接配置されている。
【００３７】
また、引き戸２側と下側ガイド部３側に設けられる磁性部材８，４は、引き戸２が上記軌道上を移動する際には常に、引き戸２の高さ方向において投影的重なりを有する。つまり、磁性部材８は、引き戸２が軌道上のどの位置にあっても常に引き戸２の高さ方向において磁性部材４に対向している。これにより、引き戸２は、軌道上において常に反発力を受けるため、スムーズに移動可能となる。
【００３８】
また、引き戸２の上端部２Ａには、上側ガイド部５に対し該引き戸２の高さ方向に対向して、該引き戸２の移動方向に回転可能な戸車７０を有した戸車ユニット７と角型又は丸型の磁性部材９とが設けられる。他方、上側ガイド部５には、磁性部材９に対し引き戸２の高さ方向において対向し、なおかつ磁性部材９に対して該高さ方向に吸引される、磁性部材９とは別の板状の磁性部材６が設けられる。これにより、上記軌道上の任意の位置において引き戸２により下側ガイド部３に加わる荷重が、引き戸２の上端側と上側ガイド部５との双方に設けられた磁性部材９，６の間に生じる吸引力により軽減される。なお、ここでの磁性部材９（９０），６（６０）は、いずれも強磁性体からなる強磁性部材とすることができ、例えば一方を永久磁石部材とし、他方を永久磁石部材又は軟磁性材料からなる軟磁性部材として、互いが吸引される形で重力方向に対向配置される。
【００３９】
引き戸２側と上側ガイド部５側の双方の磁性部材９，６は、互いの着磁方向を引き戸２の高さ方向に有し、なおかつそれら双方の磁性部材９，６の各対向面９ａ，６ａの磁極が少なくとも引き戸２の移動方向において全て同種の磁極を有し、かつそれら対向面間において異種の磁極が対向するように構成される。つまり、磁性部材９，６の双方の対向面９ａ，６ａの磁極を、引き戸２の移動方向に沿って見ていったときに、双方とも途中で磁極が切り替わることがない。ここでは、対向面９ａの全ての面が同種の磁極（ここではＳ極）であり、対向面６ａの全ての面が同種の磁極（ここではＮ極）を有する。これにより、引き戸を移動する際に磁極の切り替わり点を通過することが無いので、スムーズな開閉が可能となる。
【００４０】
なお、引き戸２の上端側の磁性部材９，６は省略可能であり、少なくとも引き戸２が上記軌道に沿って移動可能となるよう、引き戸２の上端部２Ａが上側ガイド部５のガイド体５０によりガイドされる構成であればよい。
【００４１】
引き戸２の上端部２Ａに設けられる磁性部材９は、図１に示すように、該引き戸２の前後方向において対称をなすよう、複数のものが分散配置されている。ここでの磁性部材９（９０）は、引き戸２の前後方向において下端部２Ｂの磁性部材８（８０）と同様の配置位置とされている。
【００４２】
また、引き戸２側と上側ガイド部５側とに設けられる磁性部材９，６は、引き戸２が上記軌道上を移動する際には常に、引き戸２の高さ方向において投影的重なりを有する。つまり、磁性部材９は、引き戸２が軌道上のどの位置にあっても常に引き戸２の高さ方向において磁性部材６に対向している。これにより、引き戸２は、軌道上において常に吸引力を受けるため、スムーズに移動可能となる。
【００４３】
上側及び下側ガイド部５，３に設けられる磁性部材６，４は、例えば図５Ａ，５Ｂ及び図６Ａ，６Ｂに示すように、上側及び下側ガイド体５０，３０の長さ方向に連続するレール状に配設される。さらにいえば、これら磁性部材６，４は、上側及び下側ガイド体５０，３０の長さ方向における第一端縁位置５Ａ，３Ａから逆側の第二端縁位置５Ｂ，３Ｂまで、同一の磁力を有した部材（例えば材料・組成の磁性部材）が連続する形で配置される。これにより、第一端縁位置５Ａ，３Ａから第二端縁位置５Ｂ，３Ｂまでの間において、対向する磁性部材９，６と，８，４との間に生ずる磁力が一定となるため、引き戸２のスムーズな移動が可能となる。
【００４４】
なお、レール状に配設される磁性部材６，４は、図５Ａ及び図６Ａに示すように１つの磁性部材であってもよいし、図５Ｂ及び図５Ｂに示すように複数の磁性部材をガイド体５０，３０の長さ方向に連続的に配置してなるものでもよい。また、磁性部材６，４と上側及び下側ガイド部５，３との固定方法は、それらガイド部５，３と磁性部材６，４との接触面に接着剤を塗布して接着固定する方法や、締結部材（ネジ部材等）を挿通する孔部が設けられた磁性部材を用意して、締結部材により固定する方法等があり、いずれを用いてもよい。
【００４５】
また、図２に示すように、引き戸２の上端部２Ａ及び下端部２Ｂに設けられる戸車ユニット７は、戸車（車輪）７０と、戸車７０を回転可能に支持する回転軸部７４と、回転軸部７４が一体固定されたフレーム部７１とを有したものである。ここでの回転軸部７４は、引き戸２の高さ方向と移動方向（軌道方向）に直交する方向に軸線を有し、戸車７０は、上側及び下側ガイド部５，３に接触し、それらガイド部５，３上を転動する。また、フレーム部７１には、締結部材（ネジ部材等）７２を挿通する孔部７３が形成されており、該締結部材（ネジ部材等）７２によって引き戸２に固定される。第一実施形態においては、引き戸２の下端部２Ｂに、下方に開口する戸車取付用穴部２７Ｂが形成され、引き戸２の上端部２Ａに、上方に開口する戸車取付用穴部２７Ａが形成されており、戸車ユニット７は、それら戸車取付用穴部２７Ａ，２７Ｂ内に嵌め込む形で締結部材７２により固定されている。これにより、戸車ユニット７の戸車７０の少なくとも半分以上が戸車取付用穴部２７Ａ，２７Ｂ内に収容され、戸車７０の露出が減じられている。
【００４６】
また、図２に示すように、引き戸２の下端部２Ｂには、下方に開口する磁性部材取付用穴部２８が形成され、引き戸２の上端部２Ａには、上方に開口する磁性部材取付用穴部２９が形成される。磁性部材９，８は、それら磁性部材取付用穴部２９，２８内に嵌め込む形で固定される。これにより、磁性部材９．８の外部への露出が少なくてすみ、一般の引き戸に対しデザイン性に劣ることも無い。これら磁性部材９，８と引き戸２との固定方法は、引き戸２との接触面に接着剤を塗布して接着固定する方法や、締結部材（ネジ部材等）を挿通する孔部が設けられた磁性部材を用意して締結部材により固定する方法等があり、いずれを用いてもよい。
【００４７】
なお、第一実施形態において、下側及び上側のガイド部５，３に設けられる磁性部材６（６０），４（４０）は、図３及び図４に示すように、ガイド体５０，３０の幅方向の両端にそれぞれ設けられる。ここでは上側及び下側ガイド体５０，３０がガイド溝として構成されており、溝内の両側壁面５０ｂ−５０ｂ，３０ｂ−３０ｂに隣接する形で、２つの磁性部材６０−６０，４０−４０が設けられている。戸車７０は、それら両端の磁性部材６０−６０，４０−４０の間の溝底面５０ａ，３０ａ上をガイド体５０，３０の長さ方向に転動するようになっている。
【００４８】
また、第一実施形態においては、下側ガイド部３に設けられる磁性部材４に、酸化鉄を主原料として焼結してなるフェライト磁石を用い、ここでは、下側ガイド部３のガイド溝３０内に納まるように造形ないし切断されたものを用いる。他方、引き戸２の下端部２Ｂに設けられる磁性材料８にも上記フェライト磁石を用いる。フェライト磁石を砕いてゴムに混ぜて焼結したゴム磁石を用いてもよい。フェライト磁石（上記ゴム磁石を含む）は、安価に入手できる利点がある。
【００４９】
一方、第一実施形態においては、上側ガイド部５に設けられる磁性部材６に、室温で強磁性を示す鉄やフェライト系ステンレス鋼等の軟磁性材料からなる軟磁性部材（ここでは鉄）を用い、ここでは、上側ガイド部５のガイド溝５０内に納まるように造形ないし切断されたものを用いる。また、引き戸２の上端部２Ａに設けられる磁性材料９には、フェライト磁石を用いることができるが、ここではフェライト磁石よりも強い磁力を持つネオジウム磁石を用いており、対向する軟磁性部材６を磁化している。軟磁性材料である鉄は安価に入手できる利点がある。一方で、ネオジウム磁石はフェライト磁石よりも高価であるが、磁力が強力であるため、フェライト磁石よりも少ない数で済み、軟磁性部材を容易に磁化できる。
【００５０】
以上、本発明の第一実施形態を説明したが、これはあくまでも例示にすぎず、本発明はこれに限定されるものではなく、特許請求の範囲の趣旨を逸脱しない限りにおいて、当業者の知識に基づく種々の変更が可能である。以下、上記実施形態とは異なる他の実施形態について説明する。なお、同じ構成については説明を略し、異なる構成のみを説明するものとする。
【００５１】
本発明の引き戸ユニットの第二実施形態について、図７を用いて説明する。図７は、引き戸２の下端側を示す拡大断面図である。
【００５２】
第二実施形態では、引き戸２の下端側の構成が他の実施形態と異なる。引き戸２の上端側の構成については他の実施形態のものを採用できる。図７に示すように、下側ガイド部３に設けられる磁性部材４（４１）は、下側ガイド体３０上に設けられ、戸車７０は、該磁性部材４（４１）上を転動する。ここでの下側ガイド体３０はガイド溝として形成されており、磁性部材４１は、該ガイド溝３０の溝底面３０ａ上に設置され、上端面４ａが磁性部材８（８１）の下端面８ａに対し対向する。戸車７０は、レール状の磁性部材４１の上端面４ａを転動する。
【００５３】
本発明の引き戸ユニットの第三実施形態について、図８を用いて説明する。図８は、引き戸２の下端側を示す拡大断面図である。
【００５４】
第三実施形態では、引き戸２の下端側の構成が他の実施形態と異なる。引き戸２の上端側の構成については他の実施形態のものを採用できる。図８に示すように、下側ガイド部３は、下側ガイド体３１の幅方向において上端面の高さを異にする段差を有する。段差の境界を形成する段差立面３１ｄに対し第一側の上端面３１ｅ上には磁性部材４（４２）が設けられ、第二側の上端面３１ｃ上を戸車７０が転動する。ここでの下側ガイド体３１はガイド溝として形成されており、磁性部材４２は、ガイド溝３１の溝底面３１ｅ上に設置される。他方、引き戸２の下端部２Ｂにも、引き戸２の厚み方向において下端面の高さを異にする段差を有する。段差の境界を形成する段差立面２３Ｂに対する第一側は、下方に突出した突条部２１Ｂとして形成され、下側ガイド溝３１（内壁面３１ｂ、３１ｂ）にガイドされる。突条部２１Ｂの先端面（下端面）２１Ｂａ上には磁性部材８（８２）が設けられ、その下端面８ａが磁性部材４２の上端面４ａに対向する。他方、段差立面２３Ｂに対し第二側の下端面２２Ｂａには戸車取付用穴部２７Ｂが形成され、その内部に戸車ユニット７が固定される。戸車７０の固定方法は上記実施形態と同様とできる。
【００５５】
本発明の引き戸ユニットの第四実施形態について、図９を用いて説明する。図９は、引き戸２の下端側を示す拡大断面図である。
【００５６】
第四実施形態では、引き戸２の下端側の構成が他の実施形態と異なる。引き戸２の上端側の構成については他の実施形態のものを採用できる。図９に示すように、下側ガイド部３に設けられる下側ガイド体３２は、上方に突出する突条部をなす。磁性部材４（４３）は、この突条部３２の両端側に隣接形成された溝３３−３３内に配置される。引き戸２は、下端部２Ｂに形成された溝部２４Ｂにて突条部３２が挟まれる形でガイドされており、戸車７０は、該突条部３２の突出側先端面３２ａ上を転動する。引き戸２の溝部２４Ｂには、その溝長さ方向（引き戸２の前後方向）における一部領域に戸車取付用穴部２７Ｂが形成されており、その内部に戸車ユニット７が固定されている。その固定方法は上記実施形態と同様とできる。引き戸２における戸車ユニット７の両端側は、下方に突出する突出部２５Ｂ−２５Ｂとして形成され、その突出先端部（下端部）に、上記磁性部材４（４３）に対して反発するように磁性部材８（８３）が設けられる。
【００５７】
本発明の引き戸ユニットの第五実施形態について、図１０を用いて説明する。図１０は、引き戸２の下端側を示す拡大断面図である。
【００５８】
第五実施形態では、引き戸２の下端側の構成が他の実施形態と異なる。引き戸２の上端側の構成については他の実施形態のものを採用できる。図１０に示すように、下側ガイド部３に設けられる磁性部材４（４４）は、下側ガイド体をなすガイド溝３０の溝底面３０ａ上に設けられる。戸車ユニット７’は、フレーム部７１’が引き戸２の下端部２Ｂの先端に固定される形で取り付けられ、該フレーム部７１’から下方に突出する回転軸部７４’の軸線方向が引き戸２の高さ方向に一致しており、戸車（車輪）７０’は、下側ガイド溝３０内の側壁面３０ｂ，３０ｂ上を転動可能な形で設けられる。引き戸２に設けられる磁性材料８（８４）は、図１の実施形態の磁性材料８と同様の形で設けられており、下側ガイド部３の磁性部材４（４４）に対し反発する形で設けられる。この実施形態における引き戸２は、使用中に浮上状態となるよう、各磁性部材４，６，８，９が選ばれる。
【００５９】
本発明の引き戸ユニットの第六実施形態について、図１１を用いて説明する。図１１は、引き戸２の下端側を示す拡大断面図である。
【００６０】
第六実施形態では、引き戸２の下端側の構成が他の実施形態と異なる。引き戸２の上端側の構成については他の実施形態のものを採用できる。図１１に示すように、下側ガイド部３に設けられる磁性部材４（４５）は、下側ガイド体３４をなすガイド溝内に設置される。ここでの磁性部材４（４５）は、ガイド溝３４の溝幅方向における一方の端部側に、着磁方向が溝深さ方向（引き戸２の高さ方向）となる磁性部材４５Ａを有し、他方の端部に、着磁方向が同じく溝深さ方向（引き戸の高さ方向）となり、なおかつ極性が該磁性部材４５Ａとは逆となる磁性部材４５Ｂを有する。つまり、磁性部材４５Ａ，４５Ｂにおける引き戸２とのそれぞれの対向面４ａ，４ａは、互いに異種の磁極で着磁している。さらに、本実施形態においては、磁性部材４５Ａ，４５Ｂにおける引き戸２に対向する面４ａ，４ａとは逆側の面４ｂ，４ｂに、強磁性体からなる強磁性部材（ここでは鉄等の軟磁性部材）４５Ｃが吸着している。磁性部材４５Ａ，４５Ｂに対し軟磁性部材４５Ｃが吸着状態とされていることにより、軟磁性部材４５Ｃにおける一方の磁性部材４５Ａと接触する側が、当該磁性部材４５Ａの面４ｂ（ここではＳ極）に吸着する磁極（ここではＮ極）を有するよう磁化され、他方の磁性部材４５Ｂと接触する側が、当該磁性部材４５Ｂの面４ｂ（Ｎ極）に吸着する磁極（ここではＳ極）を有するよう磁化された状態となる。つまり、本実施形態の磁性部材４（４５）は、全体を通してＵ字状をなし、Ｕ字の両先端面４ａ，４ａが異種の磁極となるように構成されている。
【００６１】
一方で、引き戸２の下端部２Ｂに設けられる磁性部材８（８５）は、磁性部材４（４５）に対し反発する形で対向配置される。即ち、引き戸２の磁性部材８５Ａ，８５Ｂは、引き戸２の下端部２Ｂに設けられた凹部２７Ｂ’内に配置され、磁性部材４５Ａ，４５Ｂのそれぞれに対し引き戸２の高さ方向において対向する。磁性部材８５Ａと磁性部材４５Ａとにおけるそれぞれの対向面８ａ，４ａは互いに異種の磁極を有し、磁性部材８５Ｂと磁性部材４５Ｂとにおけるそれぞれの対向面８ａ，４ａも互いに異種の磁極を有し、さらに、磁性部材８５Ａ，８５Ｂの極性が互いに逆となるよう配置されている。さらに、本実施形態においては、磁性部材８５Ａ，８５Ｂにおける下側ガイド部３に対向する面８ａ，８ａとは逆側の面８ｂ，８ｂに、強磁性体からなる強磁性部材（ここでは鉄等の軟磁性部材）８５Ｃが吸着している。磁性部材８５Ａ，８５Ｂに対し強磁性部材８５Ｃが吸着状態で配置されていることにより、軟磁性部材８５Ｃにおける一方の磁性部材８５Ａとの接触する側が、当該磁性部材８５Ａの面８ｂ（ここではＳ極）に吸着する磁極（ここではＮ極）を有するように磁化され、他方の磁性部材８５Ｂとの接触する側が、当該磁性部材８５Ｂの面８ｂ（ここではＮ極）に吸着する磁極（ここではＳ極）を有するよう磁化された状態となる。つまり、本実施形態の磁性部材８（８５）は、全体を通してＵ字状をなし、Ｕ字の両先端面８ａ，８ａが異種の磁極となるように構成されている。戸車ユニット７０は、これら双方の磁性部材８５Ａ，８５Ｂの間に取り付けられ、ここでは下側ガイド部３に設けられた強磁性部材４５Ｃ上を戸車７０が転動するように構成されている。
【００６２】
本発明の引き戸ユニットの第七実施形態について、図１２を用いて説明する。図１２は、引き戸２の上端側を示す拡大断面図である。
【００６３】
第七実施形態では、引き戸２の上端側の構成が他の実施形態と異なる。引き戸２の下端側の構成については他の実施形態のものを採用できる。図１２に示すように、上側ガイド部５に設けられる磁性部材６（６１）は、上側ガイド体５０上に設けられ、戸車７０は、該磁性部材６（６１）上を転動する。ここでの上側ガイド体５０はガイド溝として形成されており、磁性部材６１は、該ガイド溝５０の溝底面５０ａ上に設置され、下端面６ａが磁性部材９（９１）の上端面９ａに対し対向する。戸車７０は、レール状の磁性部材６１の下端面６ａ上を転動する。
【００６４】
本発明の引き戸ユニットの第八実施形態について、図１３を用いて説明する。図１３は、引き戸２の上端側を示す拡大断面図である。
【００６５】
第八実施形態では、引き戸２の上端側の構成が他の実施形態と異なる。引き戸２の下端側の構成については他の実施形態のものを採用できる。図１３に示すように、上側ガイド部５は、該上側ガイド体５１の幅方向において下端面の高さを異にする段差を有する。段差の境界を形成する段差立面５１ｄに対し第一側の下端面５１ｅ上に磁性部材６（６２）が設けられ、第二側の下端面５１ｃ上を戸車７０が転動する。ここでの上側ガイド体５１はガイド溝として形成されており、磁性部材６２は、ガイド溝５１の溝底面５１ｅ上に設置される。他方、引き戸２の上端部２Ａにも、引き戸２の厚み方向において上端面の高さを異にする段差を有する。段差の境界を形成する段差立面２３Ａに対する第一側は、上方に突出した突条部２１Ａとして形成され、上側ガイド溝５１（内壁面５１ｂ、３１ｂ）にガイドされる。突条部２１Ａの先端面（上端面）２１Ａａ上には磁性部材９（９２）が設けられ、その上端面９ａが磁性部材６２の下端面６ａに対向する。他方、段差立面２３Ａに対し第二側の上端面２２Ａａには戸車取付用穴部２７Ａが形成され、その内部に戸車ユニット７が固定される。戸車７０の固定方法は上記実施形態と同様とできる。
【００６６】
本発明の引き戸ユニットの第九実施形態について、図１４を用いて説明する。図１４は、引き戸２の上端側を示す拡大断面図である。
【００６７】
第九実施形態では、引き戸２の上端側の構成が他の実施形態と異なる。引き戸２の下端側の構成については他の実施形態のものを採用できる。図１４に示すように、上側ガイド部５に設けられる上側ガイド体５２は、下方に突出する突条部をなす。磁性部材６（６３）は、この突条部５２の両端側に隣接形成された溝５３−５３内に配置される。引き戸２は、上端部２Ａに形成された溝部２４Ａ内にて突条部５２が挟まれる形でガイドされており、戸車７０は、該突条部５２の突出側先端面５２ａ上を転動する。引き戸２の溝部２４Ａには、その溝長さ方向（引き戸２の前後方向）における一部領域に戸車取付用穴部２７Ａが形成されており、その内部に戸車ユニット７が固定されている。その固定方法は上記実施形態と同様とできる。引き戸２における戸車ユニット７の両端側は、上方に突出する突出部２５Ａ−２５Ａとして形成され、その突出先端部（上端部）に上記磁性部材６（６３）に対して吸引されるように磁性部材９（９３）が設けられる。
【００６８】
本発明の引き戸ユニットの第十実施形態について、図１５を用いて説明する。図１５は、引き戸２の上端側を示す拡大断面図である。
【００６９】
第十実施形態では、引き戸２の上端側の構成が他の実施形態と異なる。引き戸２の下端側の構成については他の実施形態のものを採用できる。図１５に示すように、上側ガイド部５に設けられる磁性部材６（６４）は、上側ガイド体５０をなすガイド溝の溝底面５０ａ上に設けられる。戸車ユニット７’は、フレーム部７１’が引き戸２の上端部２Ａの先端に固定される形で取り付けられ、該フレーム部７１’から上方に突出する回転軸部７４’の軸線方向が引き戸２の高さ方向に一致しており、戸車（車輪）７０’は、上側ガイド溝５０内の側壁面５０ｂ、５０ｂ上を転動可能な形で設けられる。引き戸２に設けられる磁性材料８（８４）は、図１の実施形態の磁性材料８と同様の形で設けられており、上側ガイド部５に設けられる磁性部材６（６４）に対し吸引される形で設けられる。この実施形態における引き戸２は、使用中に浮上状態となるよう、各磁性部材４，６，８，９が選ばれる。
【００７０】
本発明の引き戸ユニットの第十一実施形態について、図１６を用いて説明する。図１６は、引き戸２の上端側を示す拡大断面図である。
【００７１】
第十一実施形態では、引き戸２の上端側の構成が他の実施形態と異なる。引き戸２の下端側の構成については他の実施形態のものを採用できる。図１６に示すように、上側ガイド部５に設けられる磁性部材６（６５）は、上側ガイド体５０をなすガイド溝内に設置される。ここでの磁性部材６（６５）は、鉄等の軟磁性材料からなる軟磁性部材であり、引き戸２の移動方向に延びるレール状に設けられる。この部分は、上記第七実施形態と同様の形態であるが、他の実施形態を採用してもよい。一方で、引き戸２の上端部２Ａに設けられる磁性部材９（９５）は、磁性部材６（６５）に対し吸引される形で対向配置される。即ち、引き戸２の磁性部材９５Ａ，９５Ｂは、引き戸２の上端部２Ａに設けられた凹部２７Ａ’内に配置され、磁性部材６５Ａ，６５Ｂのそれぞれに対し引き戸２の高さ方向において対向する。磁性部材９５Ａにおける磁性部材６（６５）に対する対向面９ａと、他方の磁性部材９５Ｂにおける磁性部材６（６５）に対する対向面９ａとでは互いに異種の磁極を有する。そして、磁性部材６（６５）は、その両端部が磁性部材９５Ａ，９５Ｂのそれぞれと対向しており、それら磁性部材９５Ａ，９５Ｂの対向面９ａ，９ａにより、磁性部材６（６５）の両端がそれぞれ磁化されて、吸引される状態となる。さらに、本実施形態においては、磁性部材９５Ａ，９５Ｂにおける上側ガイド部５との対向面９ａ，９ａとは逆側の面９ｂ，９ｂに、強磁性体からなる強磁性部材（ここでは鉄等の軟磁性部材）９５Ｃが吸着している。磁性部材９５Ａ，９５Ｂに対し強磁性部材９５Ｃが吸着状態で配置されていることにより、磁性部材６（６５）における磁性部材９５Ａとの接触する側の端部が、当該磁性部材９５Ａの面９ｂ（ここではＳ極）に吸着する磁極（ここではＮ極）を有するように磁化され、磁性部材９５Ｂとの接触する側の端部が、当該磁性部材９５Ｂの面９ｂ（ここではＮ極）に吸着する磁極（ここではＳ極）を有するよう磁化された状態となる。つまり、本実施形態の磁性部材９（９５）は、全体を通してＵ字状をなし、Ｕ字の両先端面が異種の磁極となる構成されている。戸車ユニット７０は、これら双方の磁性部材９５Ａ，９５Ｂの間に取り付けられ、上側ガイド部５に設けられた磁性部材６（６５）上を戸車７０が転動するように構成されている。
【００７２】
なお、図１１や図１６の実施形態のように、引き戸２の厚み方向（ガイド部の幅方向）における両端で、異なる磁極を有する磁性部材を配置する場合には、それら両端に極性が逆の磁性部材を配置するようにしてもよいし、よく知られている図２５に示すような一体焼結成形される馬蹄磁石４９，６９，８９，９９を用いた構成としてもよい。ただし、ガイド体３，５側の磁性部材４，６は、引き戸２の移動方向に延びるレール状をなすように設けられるとよい。
【００７３】
以上で述べた実施形態については、第一〜第六実施形態のいずれかが示す引き戸２の下端の構成と、第一及び第七〜第十一実施形態のいずれかが示す引き戸２の上端の構成とを組み合わせた構成とすることもできる。なお、図７〜１１については、図２のＡ−Ａ断面及びＢ−Ｂ断面のいずれか、又はこれらと平行な平面にて引き戸２を切断したときの断面図である。
【００７４】
また、上記実施形態における下側ガイド部３に設けられるレール状の磁性部材４は、図１７のような磁性部材４００に置き換えることもできる。図１７の磁性部材４００は、永久磁石本体４０１の外表面に対しニッケルメッキ等によるメッキ層４０２を形成した永久磁石４１０を１以上用意するとともに、それら永久磁石４１０を下側ガイド体の長さ方向に整列配置可能なヨーク４０３に収容した永久磁石部材である。ヨーク４０３は鉄等の軟磁性材料からなり、永久磁石部材４００において、引き戸２側の面のみを開放して当該面を除く全ての面を覆っている。これにより、引き戸２側の磁性部材に対する反発力ないし吸着力を増すことができるし、下側ガイド部３への設置が容易となる。なお、磁性部材４００の引き戸２側の面、さらには外部に露出する面上に、当該面を保護する保護用面材４０４を設けてもよい。ただし、この保護用面材４０４は非磁性材料からなる必要がある。
【００７５】
上記実施形態において、上記図１５のような磁性部材４００を用いるのであれば、図１８に示すように、下側ガイド溝３０内の溝底面３０ａ上に設置可能なベース材４１５上を用意し、ベース材４１５上の上面両端位置に磁性部材４００をそれぞれ一体化した磁性部材４００’とすることにより、下側ガイド部３に対し容易に設置可能となる。
【００７６】
また、上記実施形態における引き戸２に設けられる磁性部材８（８１，８２），９（９１，９２）は、図１９及び図２０に示すような磁性部材９００に置き換えることもできる。図１９及び図２０の磁性部材９００は、永久磁石本体９０１の外表面に対しニッケルメッキ等によるメッキ層９０２を形成した永久磁石９１０をヨークに収容した永久磁石部材である。ヨーク９０３は鉄等の軟磁性材料からなる軟磁性部材からなり、永久磁石部材９００において一面のみを開放して当該面を除く全ての面を覆っている。なお、磁性部材９００の着磁面上に、当該面を保護する保護用面材を設けてもよい。ただし、この保護用面材４０４は非磁性材料からなる必要がある。
【００７７】
また、上記実施形態における上側ガイド部５に設けられるレール状の磁性部材６は、図２１のような磁性部材６００に置き換えることもできる。図１９の磁性部材６００は、鉄等の軟磁性材料からなる軟磁性部材であり、板状をなす。この場合、上側ガイド部５への取り付けは、板材を設置するだけの作業で済む。なお、磁性部材６００の引き戸２側の面、さらには外部に露出する面上に、当該面を保護する保護用面材６０４を設けてもよい。ただし、この保護用面材６０４は非磁性材料からなる必要がある。
【００７８】
また、上記のような保護用面材４０４，６０４を用いる場合は、下側及び上側ベース部３，５のデザイン性に一致するような表面処理がなされているとよい。例えば、下側及び上側ベース部３，５が木、又は木彫柄である場合には、保護用面材４０４，６０４の表面４００ａ，６００ａも木や木彫柄とするとよい。
【００７９】
また、上記実施形態において、引き戸２の下端部２Ｂや上端部２Ａに取り付けられる戸車ユニット７及び７’は、図２２に示すような戸車ユニット７’’に置き換えることができる。即ち、図２２に示す戸車ユニット７’’の戸車（車輪）７００は、ガイド部３，５上を点接触ではなく少なくとも線接触する形で転動するよう構成されており、ここでは、ガイド部３，５上を線接触する戸車（車輪）７００の外周面が円筒面とされており、線接触方向が引き戸２の高さ方向及び移動方向に対し垂直をなすので、引き戸２の厚み方向のずれの防止を抑制できる。
【００８０】
また、図２２に示す戸車（車輪）７００は、円筒状の戸車本体７０２と、その戸車本体７０２の回転軸線方向における外周面中央から外向きに突出した円盤状突出部７０１とを有し、引き戸２が開閉移動する際、戸車本体７０１は、ガイド部３，５上を転動する一方で、円盤状突出部７０１は、ガイド部３，５に設けられた溝３８，５８内（ガイド溝）内に突出した状態で配置され、該溝３７０，５７０にガイドされる形で移動するように構成することができる。このような戸車７００を用いた実施形態の一例として、図２３及び図２４を例示できる。なお、図２３及び図２４は、図２のＡ−Ａ断面及びＢ−Ｂ断面のいずれか、又はこれらと平行な平面にて引き戸２を切断したときの断面図である。
【００８１】
図２３は、図１１の実施形態に戸車ユニット７’’を適用した場合の図である。引き戸２の下端部２Ｂにおいて、その厚み方向両端に配置された磁性部材８５Ａ，８５Ｂに対向する形で、下側ガイド部３に形成された溝３８内にも、その溝幅方向両端に、溝長さ方向（引き戸２の移動方向）に延びるレール状の磁性部材４５Ａ，４５Ｂが配置されている。磁性部材８５Ａ，８５Ｂは上端面が強磁性部材８５Ｃに吸着し、磁性部材４５Ａ，４５Ｂは下端面が強磁性部材４６Ｃに吸着している。磁性部材４５Ａ，４５Ｂに挟まれた凹状空間には、上面にガイド溝３７０を露出させる形で下側ガイド体３７が嵌め込まれている。引き戸２が移動するに伴い、戸車（車輪）７００の円筒状の戸車本体７０２が該下側ガイド体３７におけるガイド溝３７０に隣接する上面３７ｃ上を転動する一方で、戸車７００の円盤状突出部７０１が該下側ガイド体３７のガイド溝３７０にガイドされる。なお、この場合、磁性部材４５（４５Ａ，４５Ｂ，４５Ｃ）とガイド体３７を一体化したガイドユニット４５０を予め用意することで、取り付け現場では溝３８にこのガイドユニット４５０を嵌め込むだけで取り付けを完了できる。また、磁性部材８５は、戸車ユニット７０’’と一体化したユニット８５０として予め用意することで、取り付け現場では引き戸２の溝２８Ｂにこのユニット８５０を嵌め込むだけで取り付けを完了できる。
【００８２】
他方、図２４は、引き戸２の上端側において図２３と同様の構成を実現したものである。引き戸２の上端部２Ａにおいて、その厚み方向両端に配置された磁性部材８９Ａ，９５Ｂに対向する形で、上側ガイド部５に形成された溝５８内にも、その溝幅方向両端に、溝長さ方向（引き戸２の移動方向）に延びるレール状の磁性部材６６Ａ，６６Ｂが配置されている。磁性部材９５Ａ，９５Ｂは上端面が強磁性部材９５Ｃに吸着し、磁性部材６６Ａ，６６Ｂは下端面が強磁性部材６６Ｃに吸着している。磁性部材６６Ａ，６６Ｂの間の凹状空間には、下面にガイド溝５７０を露出させる形で上側ガイド体５７が嵌め込まれている。引き戸２が移動するに伴い、戸車（車輪）７００の円筒状の戸車本体７０２が該上側ガイド体５７におけるガイド溝５７０に隣接する上面５７ｃ上を転動する一方で、戸車（車輪）７００の円盤状突出部７０１が該上側ガイド体５７のガイド溝５７０によりガイドされる。なお、この場合、磁性部材６６（６６Ａ，６６Ｂ，６６Ｃ）とガイド体３７を一体化したガイドユニット６６０を予め用意することで、取り付け現場では溝３８にこのガイドユニット６６０を嵌め込むだけで取り付けを完了できる。また、磁性部材９５は、戸車ユニット７０’’と一体化したユニット９５０として予め用意することで、取り付け現場では引き戸２の溝２８Ａにこのユニット９５０を嵌め込むだけで取り付けを完了できる。
【００８３】
また、上記実施形態において使用する永久磁石は、異方性磁石とすることができ、このとき、該異方性磁石の容易磁化方向（いわゆるｃ軸方向）が、反発ないし吸引する対象となるもう一方の磁性部材との対向方向に一致するようにすることができる。これにより、当該対向方向に強い磁力が得られる。
【００８４】
また、上記した全ての実施形態において、上側ガイド部５に設けられる磁性材料が鉄等の軟磁性部材６とされているが、図２６や図２４のように永久磁石部材６６，６８としてもよく、少なくとも引き戸２の上端部２Ａに設けられる磁性部材９に対し吸引される構成となっていればよい。逆に、上記した全ての実施形態において、上側ガイド部５に設けられる磁性材料を永久磁石部材６６とし、引き戸２の上端部２Ａに設けられる磁性部材９を軟磁性部材としてもよい。
【００８５】
また、上記実施形態において、引き戸２の上端部２Ａ及び下端部２Ｂに設けられる磁性部材９，８や、上側及び下側のガイド部５，３内に設けられる磁性部材６，４は、引き戸２の重さに基づいて、必要な吸着力・磁束密度を算出し、その種類（材料）を決定する。例えば、引き戸２が金属製で、重量が比較的大きい場合には、全ての磁石部材をネオジウム磁石にしてもよいし、あるいは引き戸２が木製で、重量がそれほど大きくない場合には、全ての磁石をフェライト磁石にすることもできる。また、引き戸２の上端側については、対向する磁性部材の一方を軟磁性部材とすることもできるし、双方とも磁石部材としてもよい。さらには磁石の大きさ・形状も、吸着力・磁束密度に寄与するので、引き戸２の重さに基づいて決定する。このような磁性部材の選定により、図２７に示すように、引き戸２の下端部２Ｂが下側ガイド部３に対し浮上し、かつ引き戸２の上端部の戸車７のみが上側ガイド部５に接触して転動する上側転動浮上状態に保持することもできるし、図２８に示すように、引き戸２を上側及び下側の双方のガイド部５，３に対し非接触となる完全浮上状態に保持することもできる。
【００８６】
また、上記実施形態においては、永久磁石部材４，６，８，９における他の磁性部材との対向面４ａ，６ａ，８ａ，９ａには、図３０に示すような磁極片（ポールピース：例えば鉄等の軟磁性部材からなる）１０を密着配置してもよい。この磁極片１０は、永久磁石部材４，６，８，９から、対向する他の磁性部材に向かって突出し、面４ａ，６ａ，８ａ，９ａと密着する側から突出先端側に向けて先細りとなる形状をなす。これにより、永久磁石部材４，６，８，９の上記面４ａ，６ａ，８ａ，９ａ面の角や周縁から外向きに漏れる磁束を、対向する磁性部材側に向けることができ、得るべき反発力ないし吸引力を強化できる。なお、レール状に延びる磁石部材４，６，８，９に対しては、磁極片１０もその長さ方向に延びる形で配置するとよい。
【００８７】
また、上記実施形態においては、引き戸２の上端部２Ａに設けられる磁性部材９は、引き戸２の移動方向において、引き戸２の下端部２Ｂと同様の位置に配置されているが、その配置は、他の形態であってもよい。例えば、図２９に示すように、引き戸２の上端部２Ａに設けられる磁性部材９は、少なくとも該引き戸２の前後方向において戸車ユニット７（戸車７０）のうち最も前に位置する戸車ユニット７（戸車７０）よりも後方の位置で、かつ最も後ろに位置する戸車ユニット７（戸車７０）よりも前方の位置に存在するように設けることができる。これにより、引き戸２の開閉移動時に生じ易い前後方向の傾斜によるがたつきを、これら磁性部材９，６の吸引力により助長させることがない。ここでの磁性部材９は、引き戸２の上端部２Ａの前後に位置する戸車ユニット７の間で、中央よりもそれら戸車ユニット７に近い位置にそれぞれ配置されている。
【００８８】
また、上記実施形態においては、ガイド部５，３にレール状の磁性部材６，４を配置し、引き戸２の上下端部２Ａ，２Ｂには、引き戸２の前後方向（移動方向）に分散的に磁性部材９，８を配置するように構成されているが、引き戸２の上下端部２Ａ，２Ｂに、引き戸２の前後方向（移動方向）に沿ってレール状の磁性部材を配置し、ガイド部５，３に、ガイド長さ方向に磁性部材を分散配置するようにしてもよい。
【００８９】
また、上記実施形態においては、引き戸２の上端・下端に対し、引き戸２における前後方向の両端部に１つずつ戸車が取り付けられているが、戸車は、１つの引き戸２の少なくとも下端の前後方向両端部に２つ設けられていればよく、それらの中間部に追加して設けることも可能である。
【００９０】
また、上記実施形態における戸車ユニットには、戸車の回転軸部の回転軸線が、引き戸２の高さ方向と移動方向に直交する方向に延びる第一の戸車ユニット７，７’’と、戸車の回転軸部の回転軸線が、引き戸２の高さ方向に延び、引き戸２の移動方向に直交する第二の戸車ユニット７’とが例示され、これらを上記した実施形態のいずれにも適用可能としているが、図３１に示すように、第一の戸車ユニット７又は７’’と、第二の戸車ユニット７’とを対にして設けることもできる。これにより、より安定的に引き戸がガイドされ、所定軌道上を滑らかに移動可能となる。特に、当該対をなす戸車ユニット７（７’’），７’は、引き戸２の下端に取り付けられることにより、引き戸２の下端側で生じやすい磁性部材８，４の反発力に起因した引き戸２の厚み方向へのずれを、効果的に防止できる。
【００９１】
また、上記実施形態における戸車ユニットには、戸車の回転軸部の回転軸線が、引き戸２の高さ方向と移動方向（前後方向）に直交する方向に延びる第一の戸車ユニット７，７’’と、戸車の回転軸部の回転軸線が、引き戸２の高さ方向に延び、引き戸２の移動方向（前後方向）に直交する第二の戸車ユニット７’とが例示され、これらを上記した実施形態のいずれにも適用可能としているが、図３１に示すように、第一の戸車ユニット７又は７’’と、第二の戸車ユニット７’とを対にして設けることもできる。例えば、下側ないし上側ガイド部３，５においてガイド体としてガイド溝３００，５００を設け、これをレールとする形で両戸車７０，７０’を配置する。即ち、第一の戸車ユニット７の戸車７０は、ガイド溝３００，５００の溝底面３００ａ，５００ａ上を転動可能に配置し、第二の戸車ユニット７’の戸車７０’は、ガイド溝３００，５００内の両側壁面３００ｂ−３００ｂ，５００ｂ−５００ｂ上を転動可能に配置する。これにより、より安定的に引き戸がガイドされ、所定軌道上を滑らかに移動可能となる。特に、当該対をなす戸車ユニット７（７’’），７’は、引き戸２の下端に取り付けられることにより、引き戸２の下端側で生じやすい磁性部材８，４の反発力に起因した引き戸２の厚み方向へのずれを、効果的に防止できる。
【００９２】
また、上記実施形態においては、互いに反発する形で永久磁石部材８，４が引き戸２の下端側にて引き戸２側と下側ガイド部３側とで対向配置され、なおかつ互いに吸引される形で磁性部材９，６が引き戸２の上端側にて引き戸２側と上側ガイド部５側とで対向配置される一方、戸車（戸車ユニット）が、引き戸２の上端側と下端側との双方に取り付けられている。ところが、戸車（戸車ユニット）は、引き戸２の上端側及び下端側のうちいずれか一方側のみでもよい。この場合、図３２及び図３３に示すように、引き戸２の上端部２Ａ及び２Ｂのうち戸車を設けない側の先端２００Ａ，２００Ｂが、対向する上側及び下側ガイド部３，５のガイド体３０１，５０１上によりガイドされつつ摺動する摺動ガイド受け部とされる。なお、図３２及び図３３については、図２のＡ−Ａ断面及びＢ−Ｂ断面のいずれか、又はこれらと平行な平面にて引き戸２を切断したときの断面図である。
【００９３】
図３２の場合、引き戸２の上端側に戸車がなく、下端側のみに戸車７０（戸車ユニット７）を有する。上側ガイド部５には、ガイド体としてガイド溝５０１が設けられ、このガイド溝５０１内に引き戸２の上端側先端２００Ａが嵌め込まれる。つまり、引き戸２の上端側先端２００Ａは、ガイド溝５０１内の両側壁面５０１ｂ−５０１ｂに対し厚み方向に挟まれ、引き戸２の移動時には、ガイド溝５０１内の両側壁面５０１ｂ−５０１ｂ上を摺動する形でガイドを受ける摺動ガイド受け部として機能している。このとき、引き戸２の下端側の戸車７０は、ガイド溝５０１の溝底面５０１ａに接触し、該溝底面５０１ａ上を転動可能とされるとよい。引き戸２の荷重は、その下端側と上端側における反発と吸引により軽減されているので、戸車への荷重負担も減じられるし、戸車が溝底面５０１ａ上を転動することにより、引き戸２の移動をより安定したものとできる。なお、この場合、引き戸２の下端部２Ａには、既に述べた他の実施形態の構成を採用できる。
【００９４】
図３３の場合、引き戸２の下端側に戸車がなく、上端側のみに戸車７０（戸車ユニット７）を有する。下側ガイド部３には、ガイド体としてガイド溝３０１が設けられ、このガイド溝３０１内に引き戸２の下端側先端２００Ｂが嵌め込まれる。つまり、引き戸２の下端側先端２００Ｂは、ガイド溝３０１内の両側壁面３０１ｂ−３０１ｂに対し厚み方向に挟まれ、引き戸２の移動時には、両側壁面３０１ｂ−３０１ｂ上を摺動する形でガイドを受ける摺動ガイド受け部として機能している。このとき、引き戸２の上端側の戸車７０は、ガイド溝５０１の溝底面５０１ａに接触し、該溝底面５０１ａ上を転動可能に配置してもよいし、ガイド溝５０１の溝底面５０１ａに対し対向しつつ通常は非接触を保持し、引き戸の移動方向に回転可能に配置してもよい。後者の場合は、引き戸２に前後傾斜等が生じた場合にのみ緊急的に溝底面５０１ａに接触して転動するような構成となる。他方、引き戸２の下端は、摺動摩擦低減のために、下側ガイド部３に対し浮上した状態となっているとよい。なお、この場合、引き戸２の上端部２Ａには、既に述べた実施形態の他の構成を採用できる。
【００９５】
上記実施形態には、上側ないし下側ガイド部５，３においてガイド体として設けられたガイド溝内の両側壁面によって、引き戸２の戸車７（又は７’，７’’）が挟まれることにより、引き戸２がガイドされる構成を有するものがあるが、これらの実施形態については、例えば図７，図１０，図１２，図１５に示すように、戸車７（又は７’，７’’）のみがガイドされるのではなく、戸車７（又は７’，７’’）と共に該戸車が設けられた側の引き戸２の先端部も、該ガイド溝内の両側壁面によって引き戸２の厚み方向に挟まれてガイドされるように構成することができる。このように戸車と引き戸先端の双方がガイド溝によりガイドされる構成は、引き戸２がその厚さ方向にずれることを効果的に抑制する。特に、該厚さ方向のずれは引き戸２の下端部において生じ易いため、当該構成は、引き戸２の下端側において適用されるとよい。
【００９６】
また、上記実施形態においては、上側ないし下側ガイド部５，３においてガイド体をなすガイド溝内に２つの板状の磁性部材（永久磁石部材を含む）６，４が配置され、それらの間に、引き戸２の戸車７（又は７’，７’’）が挟まれることにより、引き戸２がガイドされる構成が示されているが、これらの実施形態については、例えば図３２，図３３に示すように、磁性部材６，４により戸車７（又は７’，７’’）がガイドされると共に、該戸車が設けられた引き戸２の本体の先端部も、該ガイド溝内の両側壁面によって挟まれてガイドされるよう構成することができる。このように磁性部材により戸車がガイドされ、かつガイド体により引き戸先端がガイドされる構成は、引き戸２がその厚さ方向にずれることを効果的に抑制する。特に、該厚さ方向のずれは引き戸２の下端部において生じ易いため、当該構成は、引き戸２の下端側において適用されるとよい。
【符号の説明】
【００９７】
１  引き戸ユニット
２  引き戸
２Ａ  引き戸の上端部
２Ｂ  引き戸の下端部
３  下側ガイド部
３０，３１，３２，３４，３７  下側ガイド体
４，６，８，９  磁性部材
５  上側ガイド部
５０，５１，５２，５７  上側ガイド体
７，７’，７’’  戸車ユニット
【図１】
2011016114.tif 000003
【図２】
2011016114.tif 000004
【図３】
2011016114.tif 000005
【図４】
2011016114.tif 000006
【図５Ａ】
2011016114.tif 000007
【図５Ｂ】
2011016114.tif 000008
【図６Ａ】
2011016114.tif 000009
【図６Ｂ】
2011016114.tif 000010
【図７】
2011016114.tif 000011
【図８】
2011016114.tif 000012
【図９】
2011016114.tif 000013
【図１０】
2011016114.tif 000014
【図１１】
2011016114.tif 000015
【図１２】
2011016114.tif 000016
【図１３】
2011016114.tif 000017
【図１４】
2011016114.tif 000018
【図１５】
2011016114.tif 000019
【図１６】
2011016114.tif 000020
【図１７】
2011016114.tif 000021
【図１８】
2011016114.tif 000022
【図１９】
2011016114.tif 000023
【図２０】
2011016114.tif 000024
【図２１】
2011016114.tif 000025
【図２２】
2011016114.tif 000026
【図２３】
2011016114.tif 000027
【図２４】
2011016114.tif 000028
【図２５】
2011016114.tif 000029
【図２６】
2011016114.tif 000030
【図２７】
2011016114.tif 000031
【図２８】
2011016114.tif 000032
【図２９】
2011016114.tif 000033
【図３０】
2011016114.tif 000034
【図３１】
2011016114.tif 000035
【図３２】
2011016114.tif 000036
【図３３】
2011016114.tif 000037
【国際調査報告】
2011016114.tif 000038
2011016114.tif 000039
2011016114.tif 000040
2011016114.tif 000041